(57)【要約】【課題】引戸に設けられる引手構造において、施工性に優れた新規な構造を提案する。【解決手段】引戸３の幅方向Ｗの少なくとも一方の端部に設けられる引戸の引手構造６であって、引戸３の縦枠３１の見付面３１ａに引手部材３５が取り付けられてなる引手構造６とするものである。縦枠３１の見付面３１ａには引手部材３５と係合する係合部（上記実施例では縦溝部３１ｍ）が形成され、引手部材３５には、係合部に対して係合する被係合部（上記実施例では３５ｃ）が設けられる、引戸の引手構造とする。【選択図】図３
2015132096.tif 000002
【特許請求の範囲】
【請求項１】
引戸の幅方向の少なくとも一方の端部に設けられる引戸の引手構造であって、
引戸の縦枠の見付面に引手部材が取り付けられ、
前記縦枠の前記見付面には前記引手部材と係合する係合部が形成され、
前記引手部材には、前記係合部に対して係合する被係合部が設けられる、引戸の引手構造。
【請求項２】
前記引戸の前記縦枠の前記係合部は、
縦方向に連続する縦溝部にて構成される、
ことを特徴とする請求項１に記載の引戸の引手構造。
【請求項３】
前記引手部材には、前記縦溝部に対応する位置に貫通孔部が設けられ、
前記貫通孔部よりも前記引戸の面材に近い側に指掛部が設けられ、
前記貫通孔部を挟んで前記指掛部と反対側であって、前記貫通孔部の側部に前記窪み部が設けられる、
ことを特徴とする請求項２に記載の引戸の引手構造。
【発明の詳細な説明】
【技術分野】
【０００１】
本発明は、引戸の開閉操作を行う際に手の指を掛けるための引手の構造に関する。
【背景技術】
【０００２】
建物の開口部に設けられる従来の引戸において、例えば特許文献１に開示されるように、障子の戸先側に配置される戸先框に、障子の開閉時に使用者が指を掛ける引手が設けられる構成が知られている。
【０００３】
この特許文献１に開示されるような框組の框戸では、戸先框の一部を切り欠いて取付穴を形成し、取付穴に引手を取り付ける構成が必要とされている。
【０００４】
この取付穴の切り欠き加工は、工場で実施されることとするほか、施工現場においても実施されることが想定されるものである。
【先行技術文献】
【特許文献】
【０００５】
【特許文献１】特開２０１１−２３１５９５号公報
【発明の概要】
【発明が解決しようとする課題】
【０００６】
しかしながら、引手を取り付けるために、框の一部を切り欠いて取付穴が必要な従来の構成では、取付穴の加工の手間が発生すると共に、特に施工現場での作業では、框単体ではなく框組された状態の障子に対して加工をする必要があり、特にガラス障子の場合にはガラス損傷が生じないように厳重な注意が必要となるなど、作業者の負担が大きいものとなる。
【０００７】
また、他の課題として、取付穴を加工した後でなければ、実際に引手を取り付けた状態での操作感覚を確認することができず、引手の取付け完了後には取付位置の変更が困難なこととなってしまう。
【０００８】
そこで、本発明は以上の問題点に鑑み、引戸に設けられる引手構造において、施工性に優れた新規な構造を提案するものである。
【課題を解決するための手段】
【０００９】
本発明の解決しようとする課題は以上の如くであり、次にこの課題を解決するための手段を説明する。
【００１０】
即ち、請求項１に記載のごとく、引戸の幅方向の少なくとも一方の端部に設けられる引戸の引手構造であって、引戸の縦枠の見付面に引手部材が取り付けられ、縦枠の見付面には引手部材と係合する係合部が形成され、引手部材には、係合部に対して係合する被係合部が設けられる、引戸の引手構造とする。
【００１１】
また、請求項２に記載のごとく、引戸の縦枠の係合部は、縦方向に連続する縦溝部にて構成されることとする。
【００１２】
また、請求項３に記載のごとく、引手部材には、縦溝部に対応する位置に貫通孔部が設けられ、貫通孔部よりも引戸の面材に近い側に指掛部が設けられ、貫通孔部を挟んで指掛部と反対側であって、貫通孔部の側部に窪み部が設けられることとする。
【発明の効果】
【００１３】
本発明の効果として、以下に示すような効果を奏する。
【００１４】
即ち、請求項１に記載の発明においては、施工現場などにおいて、引戸について引手部材を取り付けるための切欠き加工が不要な構成が実現できる。
【００１５】
また、請求項２に記載の発明においては、引戸の開閉方向（縦枠の長手方向に対して剪断方向）の操作荷重を引手部材を介して縦枠に確実に伝達させることができる。そして、この操作荷重の方向は、縦溝部の長手方向に対して剪断方向となるため、開閉操作がされる際には操作荷重によって引手部材を縦溝部に圧着させることができ、縦枠に対する強固な引手部材の固定状態を維持することができる。また、引戸の縦方向における引手部材の仮の位置決めが容易に行える。また、仮の位置決めを行うことで、実際に引手を取り付けた状態での操作感覚を確認することができることになり、操作感覚を確かめながら最終的な引手の取付け位置を確定することができる。
【００１６】
また、請求項３に記載の発明においては、引手部材に対する手指の当接幅を広く確保することができ、良好な操作性を確保することができる。
【図面の簡単な説明】
【００１７】
【図１】本発明を適用する開口部装置の構成例について示す図である。
【図２】引手構造の全体構造について示す斜視図である。
【図３】引手構造の全体構造について示す平面断面図である。
【図４】（Ａ）引手部材の表面の形状について示す斜視図である。（Ｂ）引手部材の裏面の形状について示す斜視図である。（Ｃ）引手部材の断面形状について示す断面図である。
【図５】（Ａ）は開操作の際の情況について示す平面図である。（Ｂ）は閉操作の際の情況について示す平面図である。
【発明を実施するための形態】
【００１８】
図１は、本発明が適用可能な開口部装置１の全体構造を示すものである。開口部装置１は、開口部枠２と、引き違いにスライド可能な引戸３，４を有している。
【００１９】
開口部枠２は、左右にそれぞれ縦方向に配置される縦枠２１，２２と、上部に横方向に配置される上枠２３と、を有して構成されている。開口部枠２の下部には、引戸３，４の下部をガイドするレールを備えるガイド部材２４が横方向に配置される。
【００２０】
引戸３は、縦枠（縦框）３１，３２、上枠（上框）３３、下枠（下框）３４を枠組み（框組み）してガラス板などの面材３０を取り囲んで構成される。戸先側の縦枠３１には、引手構造６が構成され、引手構造６を用いて引戸３のスライド操作（開閉操作）が行われる。
【００２１】
また、引戸３の下枠３４には被ガイド部が設けられ、この被ガイド部が開口部枠２のガイド部材２４にガイドされることで、引戸３の下部がガイド部材２４によってガイドされる。
【００２２】
以上の引戸３に関する構成は、引戸４においても同様である。なお、本発明は、本実施例のように引き違いの２枚の引戸を有するもののほか、３枚などより多くの枚数を備える引戸や、嵌め込みの板材と組み合わせた構成などついても適用できる。また、引戸３，４の下枠３４には図示せぬ戸車が設けられ、引戸３,４の下部が戸車にて支えられる構成としている。
【００２３】
図２及び図３は、引戸の引手構造６の詳細について示す図である。
引手構造６は、引戸３の戸先側の縦枠３１に構成されている。本実施形態の縦枠３１は、中空のアルミ押出部材にて構成されており、見付面３１ａ，３１ｂと、見込面３１ｃ，３１ｄとから断面視矩形状の部位が形成される。
【００２４】
面材３０が配置される側の見込面３１ｃには、面材３０側に向けて延出される延出面３１ｅ，３１ｆが形成され、延出面３１ｅ，３１ｆには、延出端部から奥行き方向（見込方向）両側に延出される延出面３１ｇ，３１ｈが形成されている。
【００２５】
見込面３１ｃと延出面３１ｅ，３１ｆの三つの面により、面材３０が挿し込まれる略コ字状の溝部３１ｋが形成される。溝部３１ｋには、樹脂製のグレーチングチャネル３０ｇも挿し込まれる。
【００２６】
見込面３１ｃ、延出面３１ｅ、延出面３１ｇの三つの面により、略コ字状の縦溝部３１ｍが形成される。同様に、見込面３１ｃ、延出面３１ｆ、延出面３１ｈの三つの面により、略コ字状の溝部３１ｎが形成される。このようにして、縦枠３１の両側の見付面３１ａ，３１ｂの側部に、上下方向に長い一連の縦溝部３１ｍ，３１ｎが形成される。
【００２７】
縦枠３１の見付面３１ａ側の縦溝部３１ｍには、引手部材３５が取り付けられる。本実施例の引手部材３５は、図４（Ａ）（Ｂ）にも詳細に示されるように、樹脂成型品にて構成されており、略長方形状の固定面部３５ａと、固定面部３５ａの厚み方向に嵌通し、縦溝部３１ｍの位置に対応するように配置される長孔形状の貫通孔部３５ｂと、固定面部３５ａの裏面側から突出して縦溝部３１ｍに挿し込まれる被係合部３５ｃと、貫通孔部３５ｂよりも面材３０側となる位置において固定面部３５ａの表面側から突出し、縦枠３１の長手方向と同一方向に伸びる突条部を構成する指掛部３５ｄと、を有して構成される。
【００２８】
引手部材３５において、固定面部３５ａの裏面側の被係合部３５ｃは上下二箇所に設けられており、各被係合部３５ｃが縦枠３１の縦溝部３１ｍに挿入されることで、貫通孔部３５ｂや指掛部３５ｄが縦枠３１の長手方向と同一方向に長く配置されるようになっている。
【００２９】
このような構成により、図２乃至図４に参照されるように、被係合部３５ｃを縦溝部３１ｍに挿入するだけで、縦枠３１に対する引手部材３５の仮の位置決めを行うことができる。また、縦溝部３１ｍの長手方向に対する引手部材３５の位置を、引手部材３５をスライドさせるようにして適宜ずらすことによって、仮の位置決めにおける位置調整ができる。また、被係合部３５ｃは、縦溝部３１ｍに対して摺動可能とする構成や嵌合する構成とすることで、位置調整を容易に行えるとともに、後の固定作業の際における引手部材３５の位置ズレ（仮の位置決めした位置からのズレ）を抑制できる。
【００３０】
図４（Ａ）（Ｂ）に示すように、引手部材３５において、固定面部３５ａには、固定面部３５ａの厚み方向に嵌通する固定孔部３５ｅ，３５ｆが上下二箇所に設けられている。この固定孔部３５ｅ，３５ｆを通じてビスなどの固定具３６を縦枠３１に挿し込むことで、引手部材３５を縦枠３１に対して留め付けることができる。
【００３１】
図４（Ｃ）に示すように、引手部材３５において、固定面部３５ａの表面には、貫通孔部３５ｂにおいて指掛部３５ｄと反対側の位置に窪み部３５ｋが設けられている。
【００３２】
このような構成により、窪み部３５ｋに対して手指を挿し込むことができるようになり、指掛部３５ｄと手指の当接幅Ｈ１をより広く確保することが可能となる。
【００３３】
また、図４（Ｃ）に示すように、縦枠３１の延出面３１ｇにおける面材３０と反対側の端部には、面材３０に突出する突出片部３１ｖが形成され、この突出片３１ｖが、引手部材３５の指掛部３５ｄの上側の面視略Ｌ字状の当着部３５ｖによって覆われる。
【００３４】
このような構成により、引手部材３５が配置される部位において、縦枠３１が指掛部３５ｄによって覆われることになり、縦枠３１に手指が触れることなく、指掛部３５ｄにのみ手指を触れさせるようにして操作を行うことが可能となる。
【００３５】
次に、図５（Ａ）（Ｂ）を用いて引戸の操作について説明する。図５（Ａ）は、引戸を開ける操作の情況を示すものであり、手指の先端を貫通孔部３５ｂ側から指掛部３５ｄの第一側面３５ｘに当てるとともに、引戸の開方向Ｘ１（縦枠３１の長手方向に対して剪断方向）に操作荷重を加えると、この操作荷重が引手部材３５を介して縦枠３１に伝達し、引戸が開方向Ｘ１へとスライド移動する。
【００３６】
この操作においては、指掛部３５ｄの第一側面３５ｘに手指を掛けるようにして引手部材３５に操作荷重を確実に伝えることができるため、引戸の開き操作を良好なものとすることができる。
【００３７】
さらに、窪み部３５ｋの存在により、指掛部３５ｄと手指の当接幅Ｈ１（図４（Ｃ））が広く確保されるため、開操作の際には複数本の手指に操作荷重を分担させることが可能となり、特定の手指に極端な操作荷重が付与されることが防がれ、操作の負担を軽減することができる。
【００３８】
加えて、この際、指掛部３５ｄのほかにも、縦溝部３１ｍの縦面３１ｘ（延出面３１ｇ）に手指を触れさせることも可能であり、指掛部３５ｄと手指の間の当接幅Ｈ１のみならず、縦面３１ｘを加えたより広い当接幅を実現することができる。
【００３９】
他方、図５（Ｂ）は、引戸を閉じる操作の情況を示すものであり、手指の先端を貫通孔部３５ｂの反対側の指掛部３５ｄの第二側面３５ｙに当てるとともに、引戸を閉方向Ｘ２（縦枠３１の長手方向に対して剪断方向）に操作荷重を加えると、この操作荷重が引手部材３５を介して縦枠３１に伝達し、引戸が閉方向Ｘ２へとスライド移動する。
【００４０】
この操作においては、指掛部３５ｄの第二側面３５ｙに手指を掛けるようにして引手部材３５に操作荷重を確実に伝えることができるため、引戸の閉操作を良好なものとすることができる。
【００４１】
さらに、指掛部３５ｄの第二側面３５ｙは、引戸の面材３０から大きく突出し、これにより、指掛部３５ｄと手指の当接幅Ｈ２（図４（Ｃ））を広く確保することができる。これにより、閉操作の際には複数本の手指に操作荷重を分担させることが可能となり、特定の手指に極端な操作荷重が付与されることが防がれ、操作の負担を軽減することができる。
【００４２】
以上のようにして本発明を実施することができる。
即ち、引戸３の幅方向Ｗの少なくとも一方の端部に設けられる引戸の引手構造６であって、引戸３の縦枠３１の見付面３１ａに引手部材３５が取り付けられ、縦枠３１の見付面３１ａには引手部材３５と係合する係合部（上記実施例では縦溝部３１ｍ）が形成され、引手部材３５には、係合部に対して係合する被係合部（上記実施例では３５ｃ）が設けられる、引戸の引手構造とするものである。
【００４３】
これにより、施工現場などにおいて、引戸３について引手部材３５を取り付けるための切欠き加工が不要な構成が実現できる。
【００４４】
また、引戸３の縦枠３１の係合部は縦方向に連続する縦溝部３１ｍにて構成される、こととするものである。
【００４５】
これにより、引戸３の開閉方向（縦枠３１の長手方向に対して剪断方向）の操作荷重を引手部材３５を介して縦枠３１に確実に伝達させることができる。そして、この操作荷重の方向は、縦溝部３１ｍの長手方向に対して剪断方向となるため、開閉操作がされる際には操作荷重によって引手部材３５を縦溝部に圧着させることができ、縦枠３１に対する強固な引手部材３５の固定状態を維持することができる。引戸３の縦方向における引手部材３５の仮の位置決めが容易に行える。また、仮の位置決めを行うことで、実際に引手を取り付けた状態での操作感覚を確認することができることになり、操作感覚を確かめながら最終的な引手の取付け位置を確定することができる。
【００４６】
なお、引手部材３５と係合するための縦枠３１側の係合部は、特に縦溝部３１ｍのような一連の溝形状に限定されるものではなく、例えば、引手部材３５と係合し得る各種の凹凸形状にて構成することができる。また、縦溝部３１ｍについて、縦枠３１の長手方向の全範囲に形成する構成とするほか、一部に設けられることとしてもよい。さらに、縦溝部３１ｍについては、図３に示すような縦枠３１の断面形状によって形成されるものに限定されるものではなく、例えば、縦枠３１の見付面３１ａに二本の突条を突設し、当該突条の間に溝を縦溝部とすることなども考えられる。
【００４７】
また、引手部材３５には、縦溝部３１ｍに対応する位置に貫通孔部３５ｂが設けられ、貫通孔部３５ｂよりも引戸３の面材３０に近い側に指掛部３５ｄが設けられ、貫通孔部３５ｂを挟んで指掛部３５ｄと反対側であって、貫通孔部３５ｂの側部に窪み部３５ｋが設けられる、こととしている。
【００４８】
これにより、引手部材３５に対する手指の当接幅を広く確保することができ、良好な操作性を確保することができる。
【産業上の利用可能性】
【００４９】
本発明の構成は、引戸に設けられる引手構造の構成として、風除室や玄関などに設けられる引戸や、室内に設けられる室内引戸などにおいて、幅広く適用することが可能である。
【符号の説明】
【００５０】
１    開口部装置
２    開口部枠
３    引戸
６    引手構造
３０    面材
３１    縦枠
３１ｍ    縦溝部
３５    引手部材
３５ａ    固定面部
３５ｂ    貫通孔部
３５ｃ    被係合部
３５ｄ    指掛部
３５ｋ    窪み部
３５ｘ    第一側面
３５ｙ    第二側面
【図１】
2015132096.tif 000003
【図２】
2015132096.tif 000004
【図３】
2015132096.tif 000005
【図４】
2015132096.tif 000006
【図５】
2015132096.tif 000007